(57)【要約】      （修正有）【課題】人体に装着されたときに、自動的に電源がオンとなる電子機器を提供すること。【解決手段】ウェアラブルスピーカー１は、動きを検出する加速度センサー６と、対象物を検出する赤外線センサー７と、ウェアラブルスピーカー１がスタンバイ状態であるとき、加速度センサー６が動きを検出し、且つ、赤外線センサー７が対象物を検出した場合、ウェアラブルスピーカー１の電源をオンとするＳｏＣ２と、を備える。ＳｏＣ２は、ウェアラブルスピーカー装置１がスタンバイ状態であるとき、加速度センサー６が動きを検出した場合、赤外線センサー７をオンとする。【選択図】図２
2020126429.tif 000002
【特許請求の範囲】
【請求項１】
動きを検出する第１センサーと、
対象物を検出する第２センサーと、
自装置がスタンバイ状態であるとき、前記第１センサーが動きを検出し、且つ、前記第２センサーが対象物を検出した場合、自装置の電源をオンとする制御部と、
を備えることを特徴とする電子機器。
【請求項２】
自装置がスタンバイ状態であるとき、前記第１センサーがオンであり、前記第２センサーがオフであり、
前記制御部は、自装置がスタンバイ状態であるとき、前記第１センサーが動きを検出した場合、前記第２センサーをオンとすることを特徴とする請求項１に記載の電子機器。
【請求項３】
前記制御部は、自装置がスタンバイ状態であるとき、所定時間、前記第１センサーが動きを検出した場合、前記第２センサーをオンとすることを特徴とする請求項２に記載の電子機器。
【請求項４】
前記制御部は、自装置の電源がオンであるとき、所定時間、前記第１センサーが動きを検出せず、且つ、前記第２センサーが、対象物を検出していない場合に、前記第２センサーをオフとし、自装置をスタンバイ状態とすることを特徴とする請求項１〜３のいずれか１項に記載の電子機器。
【請求項５】
前記第１センサーは、加速度センサーであることを特徴とする請求項１〜４のいずれか１項に記載の電子機器。
【請求項６】
前記第２センサーは、赤外線センサーであることを特徴とする請求項１〜５のいずれか１項に記載の電子機器。
【請求項７】
前記赤外線センサーは、
赤外線を送信する送信部と、
赤外線を受信する受信部と、を有することを特徴とする請求項６に記載の電子機器。
【請求項８】
前記受信部は、前記送信部の赤外線送信方向であって、前記送信部と所定距離離隔した位置に設けられていることを特徴とする請求項７に記載の電子機器。
【請求項９】
前記送信部は、所定の時間間隔で赤外線を送信することを特徴とする請求項７又は８に記載の電子機器。
【請求項１０】
人体に装着されるウェアラブルタイプの電子機器であることを特徴とする請求項１〜９のいずれか１項に記載の電子機器。
【請求項１１】
首に装着されるウェアラブルタイプの電子機器であるとこを特徴とする請求項１〜１０のいずれか１項に記載の電子機器。
【請求項１２】
略Ｕ字形状の筐体をさらに備えることを特徴とする請求項１〜１１のいずれか１項に記載の電子機器。
【請求項１３】
前記第２センサーは、
赤外線を送信する送信部と、
赤外線を受信する受信部と、を有する赤外線センサーであり、
略Ｕ字形状の筐体をさらに備え、
前記送信部は、前記筐体のいずれか一方に設けられ、
前記受信部は、前記筐体の他方に設けられていることを特徴とする請求項１〜４のいずれか１項の記載の電子機器。
【請求項１４】
動きを検出する第１センサーと、
対象物を検出する第２センサーと、を備える電子機器の制御方法であって、
自装置がスタンバイ状態であるとき、前記第１センサーが動きを検出し、且つ、前記第２センサーが対象物を検出した場合、自装置の電源をオンとすることを特徴とする電子機器の制御方法。
【請求項１５】
動きを検出する第１センサーと、
対象物を検出する第２センサーと、
制御部と、を備える電子機器の制御プログラムであって、
自装置がスタンバイ状態であるとき、前記第１センサーが動きを検出し、且つ、前記第２センサーが対象物を検出した場合、制御部に、自装置の電源をオンとさせることを特徴とする電子機器の制御プログラム。
【発明の詳細な説明】
【技術分野】
【０００１】
本発明は、人体に装着されるウェアラブルタイプの電子機器、電子機器の制御方法、及び、電子機器の制御プログラムに関する。
【背景技術】
【０００２】
近年、例えば、腕等の人体に装着されるウェアラブルタイプの電子機器が登場している。このようなウェアラブルタイプの電子機器において、ユーザーが人体に装着した場合、電源が自動的にオンになると、非常に便利である。なお、例えば、携帯端末において、近接センサーと加速度センサーとを用いて、バックライトのオン／オフを制御する発明が存在している（例えば、特許文献１参照。）。
【先行技術文献】
【特許文献】
【０００３】
【特許文献１】特開２０１３−２３２８０４号公報
【発明の概要】
【発明が解決しようとする課題】
【０００４】
しかしながら、従来のウェアラブルタイプの電子機器においては、人体に装着されたときに、自動的に電源がオンとなる電子機器は存在していない。
【０００５】
本発明の目的は、人体に装着されたときに、自動的に電源がオンとなる電子機器を提供することである。
【課題を解決するための手段】
【０００６】
第１の発明の電子機器は、動きを検出する第１センサーと、対象物を検出する第２センサーと、自装置がスタンバイ状態であるとき、前記第１センサーが動きを検出し、且つ、前記第２センサーが対象物を検出した場合、自装置の電源をオンとする制御部と、を備えることを特徴とする。
【０００７】
本発明では、制御部は、自装置がスタンバイ状態であるとき、第１センサーが動きを検出し、且つ、第２センサーが対象物を検出した場合、自装置の電源をオンの状態とする。例えば、電子機器が、ユーザーの首に掛けて用いられるウェアラブルスピーカーである場合、ユーザーが、テーブル等に載置されているウェアラブルスピーカーを持ち上げれば、第１センサーにより、動きが検出される。また、ユーザーが、ウェアラブルスピーカーを首に掛ければ、第２センサーにより、対象物である人体（例えば、人体の一部である首）が検出される。これにより、制御部は、自装置がスタンバイ状態であるとき、自装置の電源をオンとする。従って、本発明によれば、電子機器が人体に装着されたときに、自動的に電子機器の電源をオンとすることができる。
【０００８】
なお、「スタンバイ状態」とは、第１センサーを含む一部の回路等がオンとなっている状態をいう。
【０００９】
第２の発明の電子機器は、第１の発明の電子機器において、自装置がスタンバイ状態であるとき、前記第１センサーがオンであり、前記第２センサーがオフであり、前記制御部は、自装置がスタンバイ状態であるとき、前記第１センサーが動きを検出した場合、前記第２センサーをオンとすることを特徴とする。
【００１０】
本発明では、自装置がスタンバイ状態であるとき、第２センサーがオフであり、制御部は、第１センサーが動きを検出した場合、第２センサーをオンとする。このように、自装置がスタンバイ状態であるとき、第２センサーをオフとすることで、消費電力を削減することができる。
【００１１】
第３の発明の電子機器は、第２の発明の電子機器において、前記制御部は、自装置がスタンバイ状態であるとき、所定時間、前記第１センサーが動きを検出した場合、前記第２センサーをオンとすることを特徴とする。
【００１２】
本発明では、制御部は、自装置がスタンバイ状態であるとき、所定時間、第１センサーが動きを検出した場合、第２センサーをオンとする。言い換えれば、制御部は、所定時間未満、第１センサーが動きを検出しても、第２センサーをオンとしない。これにより、チャタリングが防止される。
【００１３】
第４の発明の電子機器は、第１〜第３のいずれかの発明の電子機器において、前記制御部は、自装置の電源がオンであるとき、所定時間、前記第１センサーが動きを検出せず、且つ、前記第２センサーが、対象物を検出していない場合に、前記第２センサーをオフとし、自装置をスタンバイ状態とすることを特徴とする。
【００１４】
本発明では、制御部は、自装置の電源がオンであるとき、所定時間、第１センサーが動きを検出せず、且つ、第２センサーが、対象物を検出していない場合に、第２センサーをオフとし、自装置をスタンバイ状態とする。例えば、ユーザーが、電子機器を人体から外して、テーブル等に置いた場合、第１センサーにより、動きが検出されない。また、第２センサーにより、対象物である人体（例えば、人体の一部である首）が検出されない。これにより、制御部は、自装置の電源がオンであるとき、自装置をスタンバイ状態とする。従って、本発明によれば、電子機器が人体から外されたときに、自動的に電子機器をスタンバイ状態とすることができる。これにより、電子機器が使用されていないときの消費電力を削減することができる。
【００１５】
第５の発明の電子機器は、第１〜第４のいずれかの発明の電子機器において、前記第１センサーは、加速度センサーであることを特徴とする。
【００１６】
第６の発明の電子機器は、第１〜第５のいずれかの発明の電子機器において、前記第２センサーは、赤外線センサーであることを特徴とする。
【００１７】
第７の発明の電子機器は、第６の発明の電子機器において、前記赤外線センサーは、赤外線を送信する送信部と、赤外線を受信する受信部と、を有することを特徴とする。
【００１８】
第８の発明の電子機器は、第７の発明の電子機器において、前記受信部は、前記送信部の赤外線送信方向であって、前記送信部と所定距離離隔した位置に設けられていることを特徴とする。
【００１９】
第９の発明の電子機器は、第７又は第８の発明の電子機器において、前記送信部は、所定の時間間隔で赤外線を送信することを特徴とする。
【００２０】
本発明では、送信部は、所定の時間間隔で赤外線を送信する。これにより、消費電力を削減することができる。
【００２１】
第１０の発明の電子機器は、第１〜第９のいずれかの発明の電子機器において、人体に装着されるウェアラブルタイプの電子機器であることを特徴とする。
【００２２】
第１１の発明の電子機器は、第１〜第１０のいずれかの発明の電子機器において、首に装着されるウェアラブルタイプの電子機器であるとこを特徴とする。
【００２３】
第１２の発明の電子機器は、第１〜第１１のいずれかの発明の電子機器において、略Ｕ字形状の筐体をさらに備えることを特徴とする。
【００２４】
第１３の発明の電子機器は、第１〜第４のいずれかの発明の電子機器において、前記第２センサーは、赤外線を送信する送信部と、赤外線を受信する受信部と、を有する赤外線センサーであり、略Ｕ字形状の筐体をさらに備え、前記送信部は、前記筐体のいずれか一方に設けられ、前記受信部は、前記筐体の他方に設けられていることを特徴とする。
【００２５】
第１４の発明の電子機器の制御方法は、動きを検出する第１センサーと、対象物を検出する第２センサーと、を備える電子機器の制御方法であって、自装置がスタンバイ状態であるとき、前記第１センサーが動きを検出し、且つ、前記第２センサーが対象物を検出した場合、自装置の電源をオンとすることを特徴とする。
【００２６】
第１５の発明の電子機器の制御プログラムは、動きを検出する第１センサーと、対象物を検出する第２センサーと、制御部と、を備える電子機器の制御プログラムであって、自装置がスタンバイ状態であるとき、前記第１センサーが動きを検出し、且つ、前記第２センサーが対象物を検出した場合、制御部に、自装置の電源をオンとさせることを特徴とする。
【発明の効果】
【００２７】
本発明によれば、電子機器が人体に装着されたときに、自動的に電子機器の電源をオンとすることができる。
【図面の簡単な説明】
【００２８】
【図１】本発明の実施形態に係るウェアラブルスピーカーの外観を示す斜視図である。
【図２】本発明の実施形態に係るウェアラブルスピーカーの構成を示すブロック図である。
【図３】ウェアラブルスピーカーの模式図である。
【図４】メインスイッチがオンされた場合のウェアラブルスピーカーの処理動作を示すフローチャートである。
【図５】加速度センサー等の動作を示すタイミングチャートである。
【発明を実施するための形態】
【００２９】
以下、本発明の実施形態について説明する。図１は、本発明の実施形態係るウェアラブルスピーカーの外観を示す斜視図である。図１に示すように、ウェアラブルスピーカー１（電子機器）は、略Ｕ字型の筐体８を備えており、ユーザーの首に装着される。すなわち、ウェアラブルスピーカー１は、ユーザーの首に装着されるウェアラブルタイプのスピーカーである。筐体８は、例えば、樹脂製である。
【００３０】
図２は、本発明の実施形態に係るウェアラブルスピーカーの構成を示すブロック図である。ウェアラブルスピーカー１は、スマートフォン１０１とBluetooth（登録商標）（以下、「ＢＴ」という。）規格に従って、無線通信を行う。図２に示すように、ウェアラブルスピーカー１は、ＳｏＣ（System on Chip）２、増幅部３、スピーカーユニット４、５、加速度センサー６、赤外線センサー７等を備える。
【００３１】
ＳｏＣ２（制御部）は、ＣＰＵ（Central Processing Unit）、ＤＳＰ（Digital Signal Processor）、メモリ等を有し、ウェアラブルスピーカー１を構成する各部を制御する。また、ＳｏＣ２は、ＢＴ通信機能を備えており、スマートフォン１０１と、ＢＴ無線通信を行う。ＳｏＣ２は、スマートフォン１０１から、例えば、音声信号を受信する。ＳｏＣ２は、スマートフォン１０１から受信した音声信号を、増幅部３に出力する。
【００３２】
増幅部３には、ＳｏＣ２からＩ２Ｓ形式の音声信号が出力される。増幅部３は、音声信号を増幅し、増幅した音声信号をスピーカーユニット４、５に出力する。スピーカーユニット４には、Ｌチャンネルの音声信号が出力される。スピーカーユニット５には、Ｒチャンネルの音声信号が出力される。スピーカーユニット４、５は、音声信号に基づいて、音声を外部に出力する。このように、ウェアラブルスピーカー１は、スマートフォン１０１から出力された音声信号に基づいて、音声を再生する。
【００３３】
図３は、ウェアラブルスピーカー１の模式図である。加速度センサー６（第１センサー）は、ウェアラブルスピーカー１の動き（振動）を検出する。図３に示すように、加速度センサー６は、例えば、略Ｕ字形状の筐体８の中央に設けられる。例えば、ユーザーがテーブル等に置かれているウェアラブルスピーカー１を取り上げると、閾値以上の加速度が発生し、加速度センサー６は、動きを検出する。言い換えれば、加速度センサー６は、ユーザーがウェアラブルスピーカー１を取り上げた動作を検出する。加速度センサー６は、加速度の変化により、閾値を超えた場合、ウェアラブルスピーカー１の動きを検出する。
【００３４】
赤外線センサー７（第２センサー）は、対象物である衣服等の物体、首等の人体の一部を検出する。図３に示すように、赤外線センサー７は、送信部７１と、受信部７２と、を有する。送信部７１は、赤外線を送信する。受信部７２は、赤外線を受信する。受信部７２は、送信部７１の赤外線送信方向（矢印方向）であって、送信部７１と所定距離離隔した位置に設けられている。送信部７１は、例えば、筐体８のいずれか一方の先端側に設けられている。受信部７２は、例えば、筐体８の他方の後部側に設けられている。ウェアラブルスピーカー１が、ユーザーの首に掛けられると、送信部７１と受信部７２との間に、首が位置する。このため、受信部７２は、送信部７１が送信した赤外線を受信しない。これにより、赤外線センサー７２は、対象物を検出する。
【００３５】
以下、メインスイッチがオンされた場合のウェアラブルスピーカー１の処理動作を、図４に示すフローチャートに基づいて、説明する。まず、ウェアラブルスピーカー１において、スタンバイ状態では、加速度センサー６は、オンの状態であり、赤外線センサー７は、オフの状態である。ＳｏＣ２は、加速度センサー６が、動きを検出しているか否かを判断する（Ｓ１）。ＳｏＣ２は、加速度センサー６が、動きを検出していないと判断している間は（Ｓ１：Ｎｏ）、Ｓ１の処理を繰り返し実行する。ＳｏＣ２は、加速度センサーが、動きを検出していると判断した場合（Ｓ１：Ｙｅｓ）、赤外線センサー７をオンとする（Ｓ２）。ここで、ＳｏＣ２は、赤外線センサー７がオンとなると、赤外線センサー７の送信部７１は、連続ではなく、所定の時間間隔で（定期的に）、赤外線を送信する。
【００３６】
ＳｏＣ２は、赤外線センサー７が、対象物を検出しているか否かを判断する（Ｓ３）。ＳｏＣ２は，赤外線センサー７が、対象物を検出していないと判断した場合（Ｓ３：Ｎｏ）、Ｓ１の処理を実行する。ＳｏＣ２は、赤外線センサー７が、対象物を検出したと判断した場合（Ｓ３：Ｙｅｓ）、メイン電源をオンとする（Ｓ４）。すなわち、ＳｏＣ２は、ウェアラブルスピーカー１の電源をオンとする。
【００３７】
ＳｏＣ２は、加速度センサー６が、動きを検出しているか否かを判断する（Ｓ５）。ＳｏＣ２は、加速度センサー６が、動きを検出していると判断している間は（Ｓ５：Ｙｅｓ）、Ｓ５の処理を行う。ＳｏＣ２は、加速度センサー６が、動きを検出していないと判断した場合（Ｓ５：Ｎｏ）、赤外線センサー７が、対象物を検出しているか否かを判断する（Ｓ６）。ＳｏＣ２は、赤外線センサー７が、対象物を検出していると判断した場合（Ｓ６：Ｙｅｓ）、Ｓ５の処理を行う。ＳｏＣ２は、赤外線センサー７が、対象物を検出していないと判断した場合（Ｓ６：Ｎｏ）、メイン電源をオフとする。すなわち、ＳｏＣ２は、ウェアラブルスピーカー１をスタンバイ状態とする。
【００３８】
図５は、加速度センサー等の動作を示すタイミングチャートである。メインスイッチがオンされると、加速度センサー６は、オンの状態となる。ここで、図５の実線の楕円で示すように、加速度センサー６が短い時間、動きを検出したとしても、ＳｏＣ２は、赤外線センサー７をオンとしない。ＳｏＣ２は、加速度センサー６が、所定時間、動きを検出した場合、赤外線センサー７をオンとする。赤外線センサー７の送信部７１は、所定の時間間隔で赤外線を送信する。ここで、図５の破線の楕円で示すように、赤外線センサー７の受信部７２が、短い時間、赤外線を受信しなくても、ＳｏＣ２は、ウェアラブルスピーカー１の電源をオンとしない。ＳｏＣ２は、受信部７２が、所定時間、赤外線を受信しなかった場合、ウェアラブルスピーカー１の電源をオンとする。
【００３９】
ＳｏＣ２は、加速度センサー６が、所定時間、動きを検出しなかった場合、受信部７２が、赤外線を受信しているかを確認する。ＳｏＣ２は、受信部７２が、所定時間、赤外線を受信していると判断した場合、ウェアラブルスピーカー１の電源をオフとする。また、ＳｏＣ２は、赤外線センサー７をオフとする。メインスイッチがオフされると、加速度センサー６は、オフの状態となる。
【００４０】
以上説明したように、本実施形態では、ＳｏＣ２は、ウェアラブルスピーカー１がスタンバイ状態であるとき、加速度センサー６が動きを検出し、且つ、赤外線センサー７が対象物を検出した場合、ウェアラブルスピーカー１の電源をオンの状態とする。ユーザーが、テーブル等に載置されているウェアラブルスピーカー１を持ち上げれば、加速度センサー６により、動きが検出される。また、ユーザーが、ウェアラブルスピーカー１を首に掛ければ、赤外線センサー７により、対象物である人体（例えば、人体の一部である首）が検出される。これにより、ＳｏＣ２は、ウェアラブルスピーカー１がスタンバイ状態であるとき、ウェアラブルスピーカー１の電源をオンとする。従って、本実施形態によれば、ウェアラブルスピーカー１が人体に装着されたときに、自動的にウェアラブルスピーカー１の電源をオンとすることができる。
【００４１】
また、本実施形態では、ウェアラブルスピーカー１がスタンバイ状態であるとき、赤外線センサー７がオフであり、ＳｏＣ２は、加速度センサー６が動きを検出した場合、赤外線センサー７をオンとする。このように、ウェアラブルスピーカー１がスタンバイ状態であるとき、赤外線センサー７をオフとすることで、消費電力を削減することができる。
【００４２】
また、本実施形態では、ＳｏＣ２は、ウェアラブルスピーカー１がスタンバイ状態であるとき、所定時間、加速度センサー６が動きを検出した場合、赤外線センサー７をオンとする。言い換えれば、ＳｏＣ２は、所定時間未満、加速度センサー６が動きを検出しても、赤外線センサー７をオンとしない。これにより、チャタリングが防止される。
【００４３】
また、本実施形態では、ＳｏＣ２は、ウェアラブルスピーカー１の電源がオンであるとき、所定時間、加速度センサー６が動きを検出せず、且つ、赤外線センサー７が、対象物を検出していない場合に、赤外線センサー７をオフとし、ウェアラブルスピーカー１をスタンバイ状態とする。例えば、ユーザーが、ウェアラブルスピーカー１を人体から外して、テーブル等に置いた場合、加速度センサー６により、動きが検出されない。また、赤外線センサー７により、対象物である人体（例えば、人体の一部である首）が検出されない。これにより、ＳｏＣ２は、ウェアラブルスピーカー１の電源がオンであるとき、ウェアラブルスピーカー１をスタンバイ状態とする。従って、本実施形態によれば、ウェアラブルスピーカー１が人体から外されたときに、自動的にウェアラブルスピーカー１をスタンバイ状態とすることができる。これにより、ウェアラブルスピーカー１が使用されていないときの消費電力を削減することができる。
【００４４】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００４５】
上述の実施形態においては、ＳｏＣ２が、加速度センサー６、赤外線センサー７を制御し、加速度センサー６による動きの検出に基づいて、赤外線センサー７のオン／オフ、また、加速度センサー６による動きの検出、赤外線センサー７による対象物の検出に基づいて、ウェアラブルスピーカー１の電源制御等を行っている。これに限らず、ＳｏＣ２とは、別のマイクロコンピューター等が上記制御を行ってもよいし、マイクロコンピューター等とＳｏＣ２とが協同して、上記制御を行ってもよい。
【００４６】
上述の実施形態では、人体に装着されるウェアラブルタイプの電子機器として、首に装着されるウェアラブルスピーカー１を例示した。これに限らず、腕に装着される腕時計型のウェアラブルタイプの電子機器であってもよい。また、耳に装着されるヘッドセット、イヤホン、ヘッドホン型のウェアラブルタイプの電子機器であってもよい。
【００４７】
上述の実施形態では、動き（振動）を検出するセンサー（第１センサー）として、加速度センサー６を例示した。これに限らず、動き（振動）を検出する他のセンサーであってもよい。また、対象物を検出するセンサー（第２センサー）として、赤外線センサー７を例示した。これに限らず、照度センサー等、対象物を検出する他のセンサーであってもよい。
【産業上の利用可能性】
【００４８】
本発明は、人体に装着されるウェアラブルタイプの電子機器、電子機器の制御方法、及び、電子機器の制御プログラムに好適に採用され得る。
【符号の説明】
【００４９】
１  ウェアラブルスピーカー（電子機器）
２  ＳｏＣ（制御部）
６  加速度センサー（第１センサー）
７  近接センサー（第２センサー）
８  筐体
【図１】
2020126429.tif 000003
【図２】
2020126429.tif 000004
【図３】
2020126429.tif 000005
【図４】
2020126429.tif 000006
【図５】
2020126429.tif 000007